(57)【要約】【課題】嵩や重量を極力増やさず簡易な構造で、着替えをスムーズに行うことのできる着替え用のカバーを提供する。【解決手段】柔軟性を有する不透明な布状素材により形成され、展開時の形態が、釣鐘状に膨らんだ形態となるカバー本体１１と、カバー本体の上部に設けられ、使用者Ｍの身体への装着時に使用者の頭Ｍａを出すための孔部１４を有すると共に使用者の首Ｍｂから肩Ｍｃにかけての部分に掛かることでカバー自体を支える掛かり部１２と、少なくとも掛かり部を含む部分に設けられ、カバー本体を釣鐘状に膨らんだ展開形態に保持する展開形態保持部２０（ワイヤー２１の入った部分）と、を有し、展開形態保持部が折り畳み可能とされている。【選択図】図１
2015229807.tif 000002
【特許請求の範囲】
【請求項１】
使用者が身体に装着して中で着替えを行う着替え用のカバーであって、
柔軟性を有する不透明な布状素材により形成され、展開時の形態が、釣鐘状に膨らんだ形態となるカバー本体と、上記カバー本体の上部に設けられ、使用者の身体への装着時に使用者の頭を出すための孔部を有すると共に使用者の首から肩にかけての部分に掛かることでカバー自体を支える掛かり部と、少なくとも上記掛かり部を含む部分に設けられ、上記カバー本体を釣鐘状に膨らんだ展開形態に保持する展開形態保持部とを有し、上記展開形態保持部が、展開時の形態よりも小さく折り畳み可能とされていることを特徴とする着替え用のカバー。
【請求項２】
上記展開形態保持部に、上記カバー本体に対して展開形態に向けた付勢力を付与するワイヤーが含まれることを特徴とする請求項１に記載の着替え用のカバー。
【請求項３】
上記ワイヤーが、上記カバー本体を釣鐘状に膨らんだ展開形態に保持するときの形状を記憶した形状記憶材料よりなることを特徴とする請求項２に記載の着替え用のカバー。
【請求項４】
上記展開形態保持部が、内部に空気圧を導入することで形状保持力を発生する空気袋を含むことを特徴とする請求項１に記載の着替え用のカバー。
【請求項５】
上記孔部に、該孔部を覆うシート状の覆い材が設けられており、上記覆い材に、使用者が頭を出すときに押し広げ可能な、頭より小さな開口部またはスリットが設けられていることを特徴とする請求項１〜４のいずれか１項に記載の着替え用カバー。
【請求項６】
上記カバー本体の前部に、左右に開閉可能な合わせ部が設けられていることを特徴とする請求項１〜５のいずれか１項に記載の着替え用カバー。
【発明の詳細な説明】
【技術分野】
【０００１】
本発明は、周囲に人のいる環境で着替えを行う際に、首から下を外から見えないように隠しながら中で着替えを行うことができ、特に災害時の避難所等でのプライバシーの保護を図ることのできる、簡易な構造の着替え用のカバーに関するものである。
【背景技術】
【０００２】
学校等で子供が水着に着替えるときなどに、身体を隠すためのラップタオルと呼ばれる巻きタオルが広く利用されている（例えば、特許文献１参照）。ラップタオルは、例えば、筒状に巻いたバスタオルの一端にゴムを縫い付けたもので、ゴムで伸縮する部分を首や腰に巻き付けて使用する。
【０００３】
また、海辺やキャンプ場などで着替えを行うための用品として、着替えテントというものが知られている。着替えテントは、着替えを行うための空間を形作るフレームに目隠し用の幕体を張り付けたもので、全身をテントの中に入れて着替えを行う。
【先行技術文献】
【特許文献】
【０００４】
【特許文献１】特開２０１２−１０１０１９号公報
【発明の概要】
【発明が解決しようとする課題】
【０００５】
上述した従来のラップタオルは、ゴムの付いた部分を首に巻き付けた状態で、タオルが単に身体に沿って垂れ下がるだけのものであるから、タオルが身体に密着した状態となる。従って、濡れた身体をタオルで拭くのには適するものの、中で服を脱いだり着たりする際にタオルが身体にまとわりついて邪魔になりやすく、着替えにくいという課題がある。
【０００６】
また、着替えテントは、着替えのための空間を広く確保できるので、着替えを行う上では便利であるが、嵩や重量が大きくなるため、利便性に課題がある。
【０００７】
本発明は、上記事情を考慮し、嵩や重量を極力増やさず簡易な構造で、着替えをスムーズに行うことのできる着替え用のカバーを提供することを目的とする。
【課題を解決するための手段】
【０００８】
上記課題を解決するために、請求項１の発明は、使用者が身体に装着して中で着替えを行う着替え用のカバーであって、柔軟性を有する不透明な布状素材により形成され、展開時の形態が、釣鐘状に膨らんだ形態となるカバー本体と、上記カバー本体の上部に設けられ、使用者の身体への装着時に使用者の頭を出すための孔部を有すると共に使用者の首から肩にかけての部分に掛かることでカバー自体を支える掛かり部と、少なくとも上記掛かり部を含む部分に設けられ、上記カバー本体を釣鐘状に膨らんだ展開形態に保持する展開形態保持部と、を有し、上記展開形態保持部が、展開時の形態よりも小さく折り畳み可能とされていることを特徴とする。
【０００９】
請求項２の発明は、請求項１に記載の着替え用のカバーであって、上記展開形態保持部に、上記カバー本体に対して展開形態に向けた付勢力を付与するワイヤーが含まれることを特徴とする。
【００１０】
請求項３の発明は、請求項２に記載の着替え用のカバーであって、上記ワイヤーが、上記カバー本体を釣鐘状に膨らんだ展開形態に保持するときの形状を記憶した形状記憶材料よりなることを特徴とする。
【００１１】
請求項４の発明は、請求項１に記載の着替え用のカバーであって、上記展開形態保持部が、内部に空気圧を導入することで形状保持力を発生する空気袋を含むことを特徴とする。
【００１２】
請求項５の発明は、請求項１〜４のいずれかに記載の着替え用カバーであって、上記孔部に、該孔部を覆うシート状の覆い材が設けられており、上記覆い材に、使用者が頭を出すときに押し広げ可能な、頭より小さな開口部またはスリットが設けられていることを特徴とする。
【００１３】
請求項６の発明は、請求項１〜５のいずれかに記載の着替え用カバーであって、上記カバー本体の前部に、左右に開閉可能な合わせ部が設けられていることを特徴とする。
【発明の効果】
【００１４】
請求項１の発明によれば、展開形態保持部があることによって、展開時にカバー本体を釣鐘状に膨らんだ形態に保持することができるので、カバー本体が身体に密着しないようにすることができ、使用者の首から下側に、外から見えない着替え用の空間を確保することができる。従って、カバー本体が身体にまとわりつくことがなく、カバー本体の内側の空間の中で着替えをスムーズに行うことができる。この結果、特に災害時の避難所等におけるプライバシー保護を図ることができる。また、折り畳み状態から展開したときに即座に、カバー本体を釣鐘状に膨らんだ形態にすることができるので、使い勝手が良い。
【００１５】
また、従来の着替えテントと違って、首を出した状態で使用者の身体に装着するものであるから、嵩や重量を小さく抑えることができ、簡易な構造とすることができる。しかも、展開形態保持部が折り畳み可能であるから、不使用時には、収納しやすいコンパクトな形にすることができ、持ち運びの利便性を図ることができる。また、カバー本体は、従来のラップタオルと違って、濡れた身体を拭くことを目的とするのものではなく、むしろ身体に密着しないようになっているので、カバー本体の素材をタオル地以外から自由に選ぶことができる。例えば、軽量で薄手の素材によりカバー本体を作ることによって、よりコンパクトに収納可能となる。
【００１６】
請求項２の発明によれば、ワイヤーの付勢力によって、カバー本体を即座に展開形態にすることができる。
【００１７】
請求項３の発明によれば、ワイヤーが形状記憶材料で構成されているので、記憶した形態に即材に展開させることができる。
【００１８】
請求項４の発明によれば、空気袋に空気圧を導入することによって、カバー本体を即座に展開形態にすることができる。また、空気袋があることによって保温性を高めることができるので、必要に応じて防寒・防災グッズとしての利用も可能となる。
【００１９】
請求項５の発明によれば、孔部に覆い材があることによって、装着時に孔部を首にフィットさせることができる。また、使用者が孔部から下に頭を引っ込めた状態のときに、覆い材が使用者の頭の上に乗ることでカバー自体を簡易的に支持することができるので、その状態で、頭から衣服を被って着たり脱いだりすることが容易にできる。
【００２０】
請求項６の発明によれば、合わせ部を開いた状態にすることで、そこから中の使用者が手を出し入れすることができ、脱いだ衣服やこれから着る衣服の出し入れが可能となる。
【図面の簡単な説明】
【００２１】
【図１】本発明の第１実施形態の説明図で、（ａ）は展開時の状態を示す斜視図、（ｂ）は使用時の状態を示す斜視図である。
【図２】上記第１実施形態の第１の変形例の説明図で、（ａ）は使用者が頭を孔部から上に出す前の状態を示す図、（ｂ）は使用者が頭を孔部から上に出した状態を示す図である。
【図３】上記第１実施形態の第２の変形例の説明図で、（ａ）は使用者が頭を孔部から上に出す前の状態を示す図、（ｂ）は使用者が頭を孔部から上に出した状態を示す図である。
【図４】上記第１実施形態の第３の変形例の説明図で、（ａ）は使用者が頭を孔部から上に出す前の状態を示す図、（ｂ）は使用者が頭を孔部から上に出した状態を示す図である。
【図５】上記第１実施形態の第４の変形例の説明図で、（ａ）は合わせ部を閉じた状態を示す図、（ｂ）は合わせ部を開いた状態を示す図である。
【図６】本発明の第２実施形態の展開時の状態を示す斜視図である。
【図７】本発明の第３実施形態の展開時の状態を示す斜視図である。
【図８】図２及び図３に示すように孔部に覆い材を設けた場合の利点を説明するための図で、使用者が孔部から頭を下に引っ込めた状態で、衣服を頭から被ったり抜いたりして着脱する様子を示す図である。
【発明を実施するための形態】
【００２２】
以下、本発明の実施形態を図面を参照しながら説明する。
図１は、第１実施形態の説明図で、（ａ）は展開時の状態を示す斜視図、（ｂ）は使用時の状態を示す斜視図である。図１（ａ）に示す着替え用のカバー１０は、（ｂ）に示すように、使用者Ｍが頭Ｍａを上に突き出して身体に装着することにより、中で着替えを行うためのものである。
【００２３】
この着替え用のカバー１０は、カバー本体１１と、掛かり部１２と、展開形態保持部２０と、を有している。カバー本体１１は、柔軟性を有する不透明な布状素材により形成されており、展開時の形態が、釣鐘状に膨らんだ形態となるものである。カバー本体１１の素材としては、例えば、防水加工した布や薄手の樹脂シート等が用いられている。
【００２４】
カバー本体１１は、上部１１ａが窄まり、下部１１ｂがスカート状に開いた形態に作られており、上部１１ａの中央に孔部１４が配置され、下部１１ｂに開口１１ｃが確保されている。孔部１４の周囲には、伸縮性を確保するためのゴム１５が装填され、孔部１４の周囲が首Ｍａにフィットするようになっている。
【００２５】
掛かり部１２は、カバー本体１１の上部に設けられており、使用者Ｍの身体への装着時に使用者の頭Ｍａを出すための孔部１４を有すると共に使用者の首Ｍｂから肩Ｍｃにかけての部分に掛かることでカバー自体を支える部分である。
【００２６】
展開形態保持部２０は、少なくとも掛かり部１２を含む部分に設けられており、カバー本体１１を釣鐘状に膨らんだ展開形態に保持する機能を有する部分である。この展開形態保持部２０は、展開時の形態よりも小さく折り畳み可能とされている。
【００２７】
展開形態保持部２０には、カバー本体１１に対して展開形態に向けた付勢力を付与するワイヤー２１が組み込まれている。このワイヤー２１は、バネ性を有したスパイラル状のもので、カバー本体１１の内外周に沿って形成した筒部２２に挿通されることで、カバー本体１１に一体化されている。ワイヤー２１は、カバー本体１１を釣鐘状に膨らんだ展開形態に保持するフレームの役割をなし、装着した使用者Ｍの肩Ｍｃから胸の辺りを覆う位置まで配されている。
【００２８】
このように、ワイヤー２１を胸の辺りを覆う位置までで留めておくことにより、カバー本体１１の裾部をできるだけ自由に垂れ下がるようにしてある。なお、ワイヤー２１には、カバー本体１１を釣鐘状に膨らんだ展開形態に保持するときの形状を記憶した形状記憶材料を用いることもできる。
【００２９】
次に作用を説明する。
この着替え用カバー１０を使用する場合は、図１（ａ）に示すように、展開形状保持部２０のワイヤー２１の働きにより、カバー本体１１を釣鐘状の形態に展開させる。そして、その状態で、図１（ｂ）に示すように、使用者Ｍが頭Ｍａから被るように着用し、頭Ｍａを孔部１４から上に突き出す。そうすると、掛かり部１２が、使用者Ｍの首Ｍｂから肩Ｍｃにかけての部分に乗り、それにより、着替え用のカバー１０が支持される。従って、釣鐘状の形態に膨らんだカバー本体１１の中の空間で着替えを行うことができる。
【００３０】
また、使用後は、ワイヤー２１を変形させつつ、全体を上下に押し縮めたり、捻ったり、折り畳んだりして、小さくすることができる。
【００３１】
このように、この着替え用のカバー１０によれば、展開形態保持部２０があることによって、展開時にカバー本体１１を釣鐘状に膨らんだ形態に保持することができるので、カバー本体１１が身体に密着しないようにすることができ、使用者Ｍの首Ｍａから下側に、外から見えない着替え用の空間を確保することができる。従って、カバー本体１１が身体にまとわりつくことがなく、カバー本体１１の内側の空間の中で着替えをスムーズに行うことができ、人前での着替えの際にも、プライバシーの保護を図ることができる。この際、使用者Ｍの肩上や肩先にも余裕空間を確保できるように、展開形態保持部２０やカバー本体１１を造形することによって、より着替えやすくすることができる。
【００３２】
また、カバー本体１１が身体にまとわりつかないので、水着の着替え時に限らず、他の衣服の着替え時にも広く使用することができる。また、カバー本体１１が風を遮るので、防寒用に使用することもできる。
【００３３】
また、小さく折り畳んだ状態から展開したときに即座に、ワイヤー２１の働きにより、カバー本体１１を釣鐘状に膨らんだ形態にすることができるので、使い勝手が良い。
【００３４】
また、従来の着替えテントと違って、首Ｍａを出した状態で使用者Ｍの身体に装着するものであるから、嵩や重量を小さく抑えることができ、簡易な構造とすることができる。しかも、展開形態保持部２０が折り畳み可能であるから、不使用時には、収納しやすいコンパクトな形にすることができ、持ち運びの利便性を図ることができる。この結果、特に災害時の避難所等におけるプライバシー保護を図ることができる。また、カバー本体１１は、従来のラップタオルと違って、濡れた身体を拭くことを目的とするのものではなく、むしろ身体に密着しないようになっているので、カバー本体１１の素材をタオル地以外から自由に選ぶことができる。例えば、軽量で薄手の素材によりカバー本体１１を作ることによって、よりコンパクトに収納可能となる。
【００３５】
なお、上記実施形態では、頭Ｍａを突き出す孔部１４の周縁にゴム１５を装填することで、着用時に頭Ｍａの突き出しが容易にできるようになると共に、孔部１４の周縁が使用者の首Ｍａにフィットするようになっていたが、孔部１４に対してその他の工夫を取り入れてもよい。
【００３６】
図２は、第１実施形態の第１の変形例の説明図で、（ａ）は使用者が頭を孔部から上に出す前の状態を示す図、各図の（ｂ）は使用者が頭を孔部から上に出した状態を示す図である。
この図２（ａ）、（ｂ）に示す変形例では、掛かり部１２に形成した孔部１４に、該孔部１４を覆うシート状の覆い材１６を設けており、覆い材１６に、使用者が頭Ｍａを出すときに押し広げ可能な、頭Ｍａより小さな開口部１６ａを設けている。
【００３７】
図３は、第１実施形態の第２の変形例の説明図で、（ａ）は使用者が頭を孔部から上に出す前の状態を示す図、各図の（ｂ）は使用者が頭を孔部から上に出した状態を示す図である。
この図３（ａ）、（ｂ）に示す変形例では、掛かり部１２に形成した孔部１４に、該孔部１４を覆うシート状の覆い材１７を設けており、覆い材１７に、使用者が頭Ｍａを出すときに押し広げ可能な、頭Ｍａより小さなスリット１７ａを設けている。
【００３８】
このように、孔部１４に覆い材１６、１７を設けた場合、装着時に孔部１４を首Ｍａにフィットさせることができる。また、図８に示すように、使用者Ｍが孔部１４から下に頭を引っ込めた状態のときに、覆い材１６、１７が使用者Ｍの頭の上に乗ることでカバー自体を簡易的に支持することができるので、その状態で、頭から衣服Ｗを被って着たり脱いだりすることが容易にできる。なお、覆い材１６、１７には、透明ビニールシート等を使用するのが良い。
【００３９】
図４は、第１実施形態の第３の変形例の説明図で、（ａ）は使用者が頭を孔部から上に出す前の状態を示す図、（ｂ）は使用者が頭を孔部から上に出した状態を示す図である。
この図４（ａ）、（ｂ）に示す変形例では、掛かり部１２に形成した孔部１４の周囲に、環状袋部１９ａにヒモ１９を通した筒状部１８を連設しており、頭Ｍａを突き出した状態でヒモ１９を引っ張ることにより、筒状部１８を首Ｍｂにフィットさせるようにしている。
【００４０】
また、上記実施形態の着替え用のカバー１０にその他の工夫を取り入れてもよい。
図５は、第１実施形態の第４の変形例の説明図で、（ａ）は合わせ部を閉じた状態を示す図、（ｂ）は合わせ部を開いた状態を示す図である。
【００４１】
この図５（ａ）、（ｂ）に示す変形例では、カバー本体１１の前部に、左右に開閉可能な合わせ部３０を設けている。このように合わせ部３０を設けた場合、図５（ｂ）に示すように、合わせ部３０を開いた状態にすることで、そこから中の使用者Ｍが手を出し入れすることができ、脱いだ衣服やこれから着る衣服の出し入れが可能となる。
【００４２】
次に別の実施形態について述べる。
図６は、本発明の第２実施形態の展開時の状態を示す斜視図である。
上記第１実施形態では、展開形態保持部２０を構成するワイヤー２１をスパイラル状に配した例について示したが、この第２実施形態の着替え用のカバー１０Ｂでは、半ドーム形の骨組に造形したワイヤー２３を展開形態保持部２０に組み込んでいる。
【００４３】
このワイヤー２３は、上側の小径円環骨２３ａと下側の大径円環骨２３ｂの間を、円周方向に間隔をおいて配置した複数の縦骨２３ｃで連結したもので、縦骨２３ｃを外側に凸に湾曲させることで半ドーム形に造形している。このようなワイヤー２３をカバー本体１１の内側に配置することで、カバー本体１１を展開形状に保持することができる。従って、この実施形態の着替え用のカバー１０Ｂにおいても、第１実施形態と同様の効果を得ることができる。
【００４４】
なお、第１実施形態及び第２実施形態において共通であるが、図６に示すように、カバー本体１１の内面側に位置させてフック４０や係止部を設けることにより、着替え用の衣類を引っ掛けておくことができ、着替えをよりスムーズに行えるようにすることができる。また、小さく折り畳んだ状態の着替え用のカバー１０、１０Ｂを収納するための収納袋４２を付属的に付けてもよい。
【００４５】
上記実施形態では、展開形態保持部２０にワイヤー２１、２３を組み込んだ例について示したが、その他の形態保持手段を組み込んでもよい。
図７は、本発明の第３実施形態の展開時の状態を示す斜視図である。
この図７の第３実施形態の着替え用のカバー１０Ｃでは、展開形態保持部２０を、内部に空気圧を導入することで形状保持力を発生する空気袋２５で構成している。空気袋２５には、栓付きの空気給排口２６が設けられている。
【００４６】
この第３実施形態の着替え用のカバー１０Ｃにおいては、空気袋２５に空気圧を導入することによって、カバー本体１１を即座に展開形態にすることができる。また、空気袋２５の空気を抜くことによって、簡単に小さく折り畳むことができる。従って、上記第１実施形態と同様の効果を得ることができる。また、空気袋２５を膨らませることによって保温性を高めることができるので、プールや風呂上がりの防寒や保温のために使うことができるし、必要に応じて広く防寒・防災グッズとしての利用も可能である。
【符号の説明】
【００４７】
１０，１０Ｂ，１０Ｃ  着替え用のカバー
１１  カバー本体
１２  掛かり部
１４  孔部
１６，１７  覆い材
１６ａ  開口部
１７ａ  スリット
２０  展開形態保持部
２１，２３  ワイヤー
２５  空気袋
３０  合わせ部
Ｍ  使用者
Ｍａ  頭
Ｍｂ  首
Ｍｃ  肩
【図１】
2015229807.tif 000003
【図２】
2015229807.tif 000004
【図３】
2015229807.tif 000005
【図４】
2015229807.tif 000006
【図５】
2015229807.tif 000007
【図６】
2015229807.tif 000008
【図７】
2015229807.tif 000009
【図８】
2015229807.tif 000010